(57)【特許請求の範囲】
【請求項１】
液透過性の表面シート、液不透過性の裏面シート、及び両シート間に介在された液保持性の吸収体を備えた実質的に縦長の吸収性物品において、前記表面シート及び前記吸収体に押圧溝が形成され、防漏シートが、前記表面シートの前端部若しくは後端部又は左右両側部とともに前記押圧溝の一部を覆い且つ該押圧溝及び該防漏シートでポケットが形成されるように該表面シートに接合され、
前記防漏シートが、着用者の肌側に前記ポケットを広く開口させるように折り返されて形成された折り返し部を備えている吸収性物品。
【請求項２】
前記防漏シートが、前記押圧溝の一部を覆い且つ該押圧溝において前記表面シートとともに前記吸収体に押圧されている請求項１記載の吸収性物品。
【請求項３】
前記押圧溝が、長さ方向中央部がくびれた細長い環状に形成された第１押圧溝と、表面シートの両側部に沿うように形成された２本の第２押圧溝で構成されている請求項１記載の吸収性物品。
【請求項４】
前記防漏シートが不織布にラミネート加工を施したラミネート不織布である請求項１記載の吸収性物品。
【発明の詳細な説明】
【０００１】
【発明の属する技術分野】
本発明は、生理用ナプキン、パンティライナー、失禁パッド等の吸収性物品に関する。
【０００２】
【従来の技術及び発明が解決しようとする課題】
ポケットを備えた吸収性物品に関する従来技術としては、例えば、特開平８−１１７２７４号公報に記載の生理用ナプキンが知られている。この生理用ナプキンは、ナプキン本体の後端部において表面シートを体液シートで被覆し、対向端部に向かって開口するポケットを形成したものである。そして、ポケットの開口を広げるために、伸縮性シートを伸長状態において表面材を覆うように取り付けて該ポケットを形成するか、又は、両側部に伸張状態で貼着された弾性部材の作用によって起立するフラップ部を形成し、該フラップ部でポケットを形成するようにしたものである。
ところで、上述の生理用ナプキンにおいては、伸縮性シート又は弾性部材の伸縮力によってナプキンを幅方向又は長さ方向に湾曲させてポケットを広く開口させるようにしているため、ポケットの形成の自由度が低いものであった。
【０００３】
従って、本発明は、漏れ防止用ポケットの形成の自由度が高く、ポケットの開口を安定的に維持できる吸収性物品を提供することを目的とする。
【０００４】
【課題を解決するための手段】
本発明は、液透過性の表面シート、液不透過性の裏面シート、及び両シート間に介在された液保持性の吸収体を備えた実質的に縦長の吸収性物品において、前記表面シート及び前記吸収体に押圧溝が形成され、防漏シートが、前記表面シートの前端部若しくは後端部又は左右両側部とともに前記押圧溝の一部を覆い且つ該押圧溝及び該防漏シートでポケットが形成されるように該表面シートに接合され、前記防漏シートが、着用者の肌側に前記ポケットを広く開口させるように折り返されて形成された折り返し部を備えている吸収性物品を提供することにより、前記目的を達成したものである。
【０００６】
【発明の実施の形態】
以下本発明を、その好ましい実施形態に基づき図面を参照しながら説明する。図１〜３は、本発明の吸収性物品を生理用ナプキン（以下単にナプキンともいう）に適用した実施形態を示すものであり、符号１はナプキンを示している。
【０００７】
図１に示すように、ナプキン１は、実質的に縦長の形状をしており、液透過性の表面シート２、液不透過性の裏面シート３、及び両シート間に介在された液保持性の吸収体４を備えている。また、ナプキン１は、表面シート２及び吸収体４が表面シート２の表面をエンボスローラで押圧して形成された押圧溝５（後述の細長い環状の押圧溝５ａ及び両側部の押圧溝５ｂ）で固定されている。また、表面シート２には、その後端部を覆い且つこれら押圧溝５及び防漏シート６でポケット７が形成されるように防漏シート６が表面シート２の周縁部においてヒートシールで接着されている。本実施形態では、押圧溝５ａの後端部を覆うように防漏シート６が配設されており、図３に示すように、ポケット７は、押圧溝５ａ及び防漏シート６で形成される空間で構成される。
【０００８】
図１及び２に示すように、押圧溝５は、表面シート２の略中央部にエンボス加工によって所望のパターンに設計されたものであり、長さ方向中央部がくびれた細長い環状に形成された押圧溝５ａと、表面シート２の両側部に沿うように形成された２本の押圧溝５ｂとで構成されている。そして、これらの押圧溝５ａ，５ｂによって、表面シート２及び吸収体４を固定するとともに、吸収体４への液の誘導及び装着状態に応じた形状を付与できるようになっている。押圧溝５ａ，５ｂは、吸収体４において吸収した液の周囲への拡散を防止する機能も有しており、吸収された液が吸収体４内で拡散しても、これらの溝押圧５ａ，５ｂにより、吸収体４の前後端部及び両側部への液の拡がりが抑制されるようになっている。
【０００９】
図２に示すように、防漏シート６は、ナプキン１の幅方向の中央部に、所定の折り返し幅Ｗ１を有する折り返し部６０を備えており、これにより、ポケット７がより広く開口するようになしてある。
【００１０】
本発明の吸収性物品においては、この折り返し部の折り返し幅Ｗ１は、ポケット７をより安定して形成させる観点において、３〜２０ｍｍであることが好ましく、５〜１５ｍｍであることがより好ましい。また、この折り返し部の折り返し基部の間隔Ｗ２と、表面シートの幅（ヒートシールした部分を除く。）Ｗ３との比Ｗ２／Ｗ３は、ポケット７を大きく形成させることで防漏効果が得られる点において０．２〜０．９であることが好ましく、０．３〜０．７であることがより好ましい。
【００１１】
防漏シート６は、液不透過性のシートであり、従来の吸収性物品において防漏シートとして通常使用されている各種のシートを特に制限なく用いることができるが、使用時の柔らかい肌触りと、吸収された液を装着者の身体や着衣を汚すことがないことを両立できる、ポリエチレン（ＰＥ）繊維、ポリプロピレン（ＰＰ）繊維、ポリエステル繊維、ポリエチレン−ポリプロピレン複合繊維若しくはポリエチレン−ポリエステル複合繊維からなる湿式又は乾式法によって得られた撥水不織布若しくはこれら不織布にポリエチレンフィルムをラミネート処理したラミネート不織布が好ましく用いることができる。
【００１２】
図１及び図２に示すように、表面シート２は、装着時に着用者の肌に当接される肌当接面を形成するものであり、前後端部２ａ，２ｂが曲線状に形成され、両側部２ｃ，２ｄが所定幅の略平行な直線状に形成された外形形状を有している。裏面シート３は、表面シート２と略同様の外形形状を有している。そして、表面シート２及び裏面シート３が吸収体４を囲繞するようにその周縁部において所定幅でヒートシールによって接着されている。
【００１３】
また、裏面シート３の下面にはナプキン１を着用者の着衣に固定するための粘着剤（図示せず）が配設されており、粘着剤は未使用状態においては剥離シート（図示せず）によって保護されている。本実施形態においては、裏面シート３と吸収体４とは、裏面シート３上に配設された接着剤（図示せず）によって部分接着されている。
【００１４】
前記表面シート２、裏面シート３、吸収体４、上記粘着剤及び上記接着剤には、吸収性物品に従来用いられている通常のものを特に制限なく用いることができる。
【００１５】
本実施形態のナプキン１においては、エンボス加工によりパターン設計される押圧溝５と防漏シート６との設定位置及びエンボス加工のパターンを調整することにより、形成の自由度が高く、ナプキンのサイズ・形状に合った広い開口部を有するポケット７を安定的に形成することができる。また、防漏シート６に折り返し部６０を備えているので、開口部をより広く形成することができる。さらに、体液が表面シート２上を流れても、押圧溝５ａによってその流れを一旦吸収した上で、さらにポケット７で確実に防漏効果が得られるので、着用者の身体や着衣を汚すことがないため、着用者に不快感を与えることがない。
【００１６】
本実施形態のナプキン１は、従来の生理用ナプキンと同様に、裏面シート３を前記粘着剤でショーツ等の着衣に固定して用いることができる。
【００１７】
本発明の吸収性物品は、例えば、図４及び５に示す第２実施形態の生理用ナプキン１'、図６に示す第３実施形態の生理用ナプキン１'を含むものである。これらの図に示すナプキン１'の基本的な構成は、上述したナプキン１におけるものと同様であり、以下の説明では、ナプキン１とは異なる部分について特に説明し、ナプキン１と同様の部分については、同一の符号を付してその詳細な説明は省略する。従って、特に説明しない部分については、ナプキン１に関して上記した説明が適宜適用される。
【００１８】
図４及び５に示す、第２実施形態のナプキン１’は、防漏シート６’が押圧溝５ａ’において表面シート２とともに吸収体４に押圧されており、図５に示すように、押圧溝５ａ’の浅い部分と折り返し部６０’で広く開口した防漏シート６’とでポケット７’が形成されている。
【００１９】
上記構成のナプキン１’によれば、上記実施形態のナプキン１と同様の効果のほか、防漏シート６’が表面シート２と共に吸収体４に押圧されているので、ポケット７’の開口状態をより安定的に維持できる。
【００２０】
図６に示すナプキン１’は、表面シート２にその左右両側部を覆うように防漏シート６’が表面シート２の周縁部においてヒートシールで接着されている。
また、防漏シート６’は、押圧溝５ｂにおいて表面シート２とともに吸収体（図示せず）に押圧されている。そして、押圧溝５ｂ’の浅い部分と折り返し部６０’で広く開口した防漏シート６’とでポケット７’が形成されている。
【００２１】
本発明の吸収性物品においては、本実施形態におけるように、表面シートの両側部においてポケットを形成する場合には、この折り返し部の折り返し長さＬ１は、ポケットをより安定して形成させる観点において、３〜２０ｍｍであることが好ましく、５〜１５ｍｍであることがより好ましい。また、この折り返し部の折り返し基部の間隔Ｌ２と、表面シートの長さ（ヒートシールした部分を除く。）Ｌ３との比Ｌ２／Ｌ３は、ポケットを大きく形成させることでより防漏効果が得られる点において０．２〜０．９であることが好ましく、０．３〜０．７であることがより好ましい。
【００２２】
上記構成のナプキン１’によれば、上記第１実施形態における効果と同様の効果を、特にナプキンの左右両側部において得ることができる。
【００２７】
本発明は、上記実施形態に限定されるものではなく、本発明の趣旨を逸脱しない範囲において、適宜変更することができる。例えば、上記実施形態１では、防漏シート６を後端部にのみ配設するようにしたが、本発明の吸収性物品においては、防漏シートを、前端部のみに配設してポケットを前端部に形成することもでき、また、防漏シートを前後両端部に配設してポケットを前後両端部に形成することもできる。また、前端部又は後端部のポケットに併せて両側部のポケットを併せて形成することもできる。
【００２８】
また、本発明の吸収性物品は、吸収性物品の幅方向に延出する、吸収性物品を着衣に固定するためのいわゆるフラップ部を備えたものにも適用できることは言うまでもない。
【００２９】
本発明は、上記実施形態におけるような生理用ナプキンの他、パンティライナー、失禁パッド等にも適用することもできる。
【００３０】
【発明の効果】
本発明によれば、漏れ防止用ポケットの形成の自由度が高く、ポケットの開口を安定的に維持できる吸収性物品を提供される。
【図面の簡単な説明】
【図１】  本発明の吸収性物品の第１実施形態である生理用ナプキンを示す一部を破断した概略斜視図である。
【図２】  同実施形態の生理用ナプキンの概略平面図である。
【図３】  図２のＡ−Ａ線断面図である。
【図４】  本発明の吸収性物品の第２実施形態である生理用ナプキンを示す概略平面図（図２に相当する図）である。
【図５】  図４のＢ−Ｂ線断面図である。
【図６】  本発明の吸収性物品の第３実施形態である生理用ナプキンを示す概略平面図である（図２に相当する図）。
【図１】
0003850207.tif 000002
【図２】
0003850207.tif 000003
【図３】
0003850207.tif 000004
【図４】
0003850207.tif 000005
【図５】
0003850207.tif 000006
【図６】
0003850207.tif 000007